(57)【要約】　　　（修正有）【課題】ストローを閉栓時にボトル内に収納でき、開栓時には常にボトルの飲み口部から突出しうるようにしたストロー内蔵用の飲料用ボトルを提供する。【解決手段】開封後の飲料用ボトルの飲み口部に形成されたキャップ受部のねじ部の下部と、キャップの開封時に切り離されたタンパーエビデントリングまたは該タンパーエビデントリングを収納する受溝部の上方の溝側壁部の上部との間にリングを嵌着し、キャップを締める際にキャップの下端がリングに衝合してキャップがリングの高さ分だけ上方位置でねじ止めされて飲み口部の先端とキャップ頂部の内壁面との間に空隙部を形成し、飲料用ボトルに内蔵したストローの先端が、閉栓時に飲料用ボトルの飲み口部を超えて上記空隙部内に突出しうるようにした。【選択図】　　図２
0003100005.tif 000002
【実用新案登録請求の範囲】
【請求項１】
　キャップが飲み口部にねじ止めされる飲料用ボトルであって、
　開封後の飲料用ボトルの飲み口部に形成されたキャップ受部のねじ部の下部と、キャップの開封時に切り離されたタンパーエビデントリングまたは該タンパーエビデントリングを収納する受溝部の上方の溝側壁部の上部との間に嵌着するリングを設けてなり、
　キャップを飲み口部のねじ部に螺着する際にキャップの下端がリングに衝合してキャップがリングの高さ分だけ上方位置でねじ止めされて閉栓して飲み口部の先端とキャップ頂部の内壁面との間に空隙部を形成し、
　飲料用ボトルに内蔵したストローの先端が、閉栓時に飲料用ボトルの飲み口部を超えて上記空隙部内に突出しうることを特徴とするストロー内蔵用の飲料用ボトル。
【請求項２】
　リングに、他のリングと区別するための色彩や模様などの識別手段または表示部を設けてなることを特徴とする請求項１に記載のストロー内蔵用の飲料用ボトル。
【請求項３】
　リングが、弾性および柔軟性を有する無端状の弾性体からなっており、キャップとキャップ受部との隙間をシールしうることを特徴とする請求項１または２に記載のストロー内蔵用の飲料用ボトル。
【考案の詳細な説明】
【技術分野】
【０００１】
　この考案は、開閉可能にキャップで飲み口部の蓋をすることができる飲料用ボトルであって、ストローを閉栓時にボトル内に収納でき、開栓時には常にボトルの飲み口部から突出しうるようにしたストロー内蔵用の飲料用ボトルおよびリングに関する。
【背景技術】
【０００２】
　近年、３５０ｍｌや５００ｍｌ容量をはじめとする比較的小容量のＰＥＴボトルやアルミボトルが出回っており、開栓と閉栓とを繰り返し行うことができるので、これらボトルを持ち運んで随時の使用に供する者が増えてきている。
　一方、この種のボトルは、飲み口部に直接口をつけて飲むと、飲料を飲むために顔を上向きにする所謂ラッパ飲み状態となり、飲み口部から飲料が大量に流れ込んでこぼれる虞れがあった。
　ボトルにストローを挿して飲むと便利であるが、キャップの着脱を繰り返す場合には、その都度、ストローを用意する必要があり、取扱いが不便であるという問題があった。
　そのため閉栓時にはボトル内に収納でき、開栓と同時にストローが飲み口部から突出するようにした構成が種々提案されている。
　例えば、特開２００１−６１６３０では、開栓後再び閉栓できる缶又はボトル飲料に対し、閉栓時に缶又はボトル等の容器内に収納でき、開栓時には容器の飲み口部から突出するストローで、伸長状態での両端間が容器の深さよりも長く、圧縮状態での両端間が容器の深さよりも短くなる全長とし、全体的に弾性を有してなるストローの構造が開示されている。
　しかし、上記構成では、閉栓時に内蔵されたストローは容器の深さよりも短くなり飲み口部から突出することがないので、圧縮状態が長時間にわたったり、繰り返し圧縮されることにより、撓んだストローの弾性反発力が損なわれてストローが変形してしまい、ストローが飲み口部から僅かしか突出せず、あるいは全く突出しなくなる虞れがある。
　そこで、特開２００３−１４６３４７では、蓋の内側天面に凹部を設けることによりストローをペットボトル内に収納した状態でも蓋をできるようにした飲料用携帯ペットボトルの構造が開示されている。
　しかし、この構造では蓋に凹部を予め形成しておくので、既存の蓋を用いてストローを収納することができず、汎用性に劣る欠点がある。
【特許文献１】特開２００１−６１６３０　図５参照
【特許文献２】特開２００３−１４６３４７
【考案の開示】
【考案が解決しようとする課題】
【０００３】
　この考案は上記事情に鑑みて創案されたものであって、その主たる課題は、既存のキャップと飲み口部の構造であっても、リングを介設することにより閉栓時に飲み口部の先端とキャップ頂部の内壁面との間に空隙部を形成して、開栓時に確実にストローを飲み口部より上へ突出させ、飲用者がストローの先端をくわえやすくすることにある。
　この考案の別の課題は、リングに識別手段を設けて、リングを嵌着した飲料用ボトルを他の飲料用ボトルと区別することができるようにしたことにある。
　この考案の更に別の課題は、リングにストラップや飲料用ボトルカバーを取付けて、飲料用ボトルを持ち運びやすくすることにある。
【課題を解決するための手段】
【０００４】
　この考案は、上記課題を達成するために、請求項１の飲料用ボトルに用いる考案では、
　キャップが飲み口部にねじ止めされる飲料用ボトルであって、
　開封後の飲料用ボトルの飲み口部に形成されたキャップ受部のねじ部の下部と、キャップの開封時に切り離されたタンパーエビデントリングまたは該タンパーエビデントリングを収納する受溝部の上方の溝側壁部の上部との間に嵌着するリングを設けてなり、
　キャップを飲み口部のねじ部に螺着する際にキャップの下端がリングに衝合してキャップがリングの高さ分だけ上方位置でねじ止めされて閉栓して飲み口部の先端とキャップ頂部の内壁面との間に空隙部を形成し、
　飲料用ボトルに内蔵したストローの先端が、閉栓時に飲料用ボトルの飲み口部を超えて上記空隙部内に突出しうる、という技術的手段を講じている。
　また、請求項２の考案では、
　前記リングに、他のリングと区別する識別手段または表示部を設けてなることを特徴とする請求項１に記載のストロー内蔵用の飲料用ボトル。
　更に、請求項３の考案では、
　前記リングが弾性体からなっており、キャップとキャップ受部との隙間をシールしうる、という技術的手段を講じている。
【考案の効果】
【０００５】
　この考案では、リングを用いることで既存の飲料用ボトルやキャップであっても、閉栓時に飲み口部の先端より上方へストローの先端を突出させることができるので、キャップを開いた際に、飲用者は確実にストローの先端をくわえて、ボトルに収納された飲料を飲むことができる。
　従って、いわゆるラッパ飲みのような姿勢をとる必要がなく、ストローを用いて静かに品良く飲むことができ、着衣などを汚すおそれがない。仰臥状態でも飲むことができるので、起き臥し不自由な老人や病人などであっても、自由に飲むことができ、乗物内での飲用にも適しており、極めて利便性が高い。
　また、リングには識別手段や表示部を設けることで、リングを嵌着した飲料用ボトルを他の飲料用ボトルと容易に見分けることができる。
　更に、リングがキャップとキャップ受部との隙間をシールする場合には、キャップが半締め状態で隙間が生じても、飲料が漏れる虞が無い。
　また、リングにストラップを取り付ければ、リングはキャップによって飲料用ボトルに緊締されるので、ストラップが外れることがなく携帯性に優れる。
　また、飲料ボトルカバーにリングを取り付ければ、リングの装着により前記カバーの装着とキャップの上方位置での閉栓とを同時に行うことができる。
【考案を実施するための最良の形態】
【０００６】
　飲み口部のねじ部の下方にリングを嵌着することで、キャップを上方位置で閉栓することができ、飲料用ボトルに内蔵されたストローの先端をキャップ上部に形成される空隙部内に配置して、常にストローの先端を飲み口部より上方位置に保持することで実現した。
　以下に、この考案の飲料用ボトルの好適実施例について図面を参照しながら説明する。
【実施例】
【０００７】
　図１は、ストロー２を内蔵した飲料用ボトル１の実施例１の断面図である。
　飲料用ボトル１は、本実施例では５００ｍｌのＰＥＴボトルであって、底部中央には隆起部１ｂが形成されており、上部が絞られて小径の飲み口部４が形成されており、この飲み口部４にはキャップ１０を被冠するためのキャップ受部５が形成されている。
　図１の実施例１では、キャップ受部５は、キャップ１０と同一素材でボトル本体とは別体に形成されて、ボトル本体の上部に一体に固着されている。
　図２の実施例２では、ボトル本体の上部に飲み口部４が一体成型されており、キャップ受部５となっている。
【０００８】
　キャップ受部５は、図２および図３に一層明瞭に示すように、筒状であって、その上部には複数条からなる雄ねじ部６が突設されている。
　この最下段の雄ねじ部６の下部５ｂは、既設の構造を用いるもので、通常はほぼ平坦な面からなっており、後述のリング２０を取り付けるリング受部として機能する。
　図２ではキャップ受部５の下部（リング受部）５ｂは、雄ねじ部６の山部と同様に外方へ突出している場合を示したが、図３の実施例３で示すように逆に雄ねじ部６の谷部と同様に窪んでいるものでもよい。
　そして、図３の場合、このキャップ受部５の下部５ｂの下には、キャップ受部５の外周に沿う環状の凹溝からなる受溝部７が形成されている。
【０００９】
　一方、キャップ１０は、図示例の場合、タンパーエビデント性を有するキャップであって、前記受溝部７には、開封時に分離されるタンパーエビデントリング１５が嵌合し上下に拘束されている。
　そして、キャップ１０の内側の側周面には前記キャップ受部５の雄ねじ部６に対応する雌ねじ部１１が形成された公知構成からなっている。
　この考案は、このような既存のキャップ１０や飲料用ボトル１をそのまま使用することができる点に特徴がある。
　即ち、上記キャップ１０を捻ってタンパーエビデントリング１５を切って分離し、飲料用ボトル１を開封した後に、キャップ受部５の下部５ｂに、リング２０を嵌着する。
【００１０】
　このリング２０は、下端が外方へ突出するタンパーエビデントリング１５（図２参照）、またはキャップ受部５の下部５ｂが窪んでいる場合にタンパーエビデントリング１５を収納する受溝部７の上方の溝側壁部８が鍔のように突出するのでこれに衝合（図３参照）して支持される。
　このリング２０の装着によって、キャップ１０を前記雄ねじ部６に螺着する際にキャップ１０の下端がリング２０に衝合してキャップ１０をリング２０の高さ分だけ上方となる中途位置で雄ねじ部６にねじ止めさせて閉栓する。
　ここで前記リング２０は、キャップ１０の下端とタンパーエビデントリング１５または該タンパーエビデントリング１５を収納する受溝部７の上方の溝側壁部８との間で挟圧され、固定される。
　これにより通常のキャップであっても、飲み口部４の先端とキャップ頂部の内壁面１２との間に空隙部Ｓを形成することができる（図２、図３参照）。
【００１１】
　前記実施例でリング２０は、飲み口部４となるキャップ受部５の外径より小径であって、引き延ばして前記キャップ受部５の下部５ｂに嵌着可能なゴムやエラストマーなどの弾性体を用いた無端の環状体を用いている。
　このリング２０は、断面円形や四角形など適宜断面形状のゴムバンドやＯリングなどを用いることができるが、その他弾性を有する素材を用いたリングであれば、径方向にも上下方向にも締め付けられるので、シール性を持たせることができる。
【００１２】
　上記実施例ではリング２０は、弾性を有しシール性を備えており、キャップ１０とキャップ受部５との隙間を密封しているが、この考案ではリング２０は上記実施例に限らず、シール性や弾性を有していなくてもよい。
　例えば、ゴムバンドであっても飲み口部４やキャップ受部５より小径でなくてもよい。また、素材もプラスチックや金属製、木製や紙製などからなるリングであってもよい。
　要するに、リング２０は、キャップ１０で飲み口部４を閉栓する際に、キャップ１０の下端がリング２０に衝合して中途までしかねじ締めができないような形状であればよく、素材や構成は問わない。
【００１３】
　図５に示す実施例４のリング２０は、一端が枢着または蝶着Ｐされた一対の半円の円弧状のアーム２１からなっており、それぞれのアーム２１の先端には、係脱可能な一対の係止構成部２２を備えている。
　そして、使用時には、アーム２１先端の係止構成部２２相互を外し、アーム２１を開いてキャップ受部５の下部に外嵌する。
　次いで、一対のアーム２１を閉じて先端の係止構成部２２相互を係止して円環状にしてリング２０として用いることができる。
【００１４】
　図６に示す実施例５のリング２０は、一対の半円の円弧状のアーム２３に２分割されており、それぞれのアームの両端には、係脱可能な一対の係止構成部２４ａ、２４ｂを備えている。
　そして、使用時には、アーム２３先端の係止構成部２４ａ、２４ｂ相互を外して２つに分割されているアーム２３を開いてキャップ受部５の下部に外嵌する。
【００１５】
　次いで、一対のアーム２３を合わせて先端の係止構成部２４ａ、２４ｂ相互を係止して円環状に連結してリング２０として用いることができる。
　これらのリング２０によっても、前記実施例と同様に、キャップ１０で飲み口部４を閉栓する際に、キャップ１０下端がリング２０に衝合してリングの高さ分だけ中途位置でねじ止めされるので、飲み口部４の先端とキャップ頂部の内壁面１２との間に空隙部Ｓを形成することができる。
【００１６】
　次ぎに、図７に示した実施例６のリング２０は、前記図３のリング２０にストラップ止め具３０を連結した構成からなっている。
　このストラップ止め具３０は、例えば、ループ状のストラップベルト３１と、小ループ状の取付用紐体３２と、これらの端部を固定する固定具３３とからなる公知構成からなっているが、前記ストラップ止め具３０はストラップベルト３１をリング２０に連結させるものであればよい。
　ストラップ付きリング３０は、リング２０が前述のようにキャップ１０によって固定されるので、飲料用ボトル１を携帯する際の手提げとして利用することができる。
【００１７】
　次ぎに、図８および図９に示す実施例７および実施例８のリング２０は、飲料用ボトルカバー４０に取り付けた異なる実施例を示す。
　図８の実施例７では、飲料用ボトルカバー４０が、飲料用ボトル１を収納する筒状の袋本体４１と、袋本体の上部に連設された可撓性を有する撓み部４２と、その上部に形成されて飲料用ボトル１の飲み口部４近傍で締め付けられる口部４３とからなっている。
【００１８】
　そして、上記ボトルカバー４０にリング２０が装着されている。
　例えば、図示例では、リング２０がゴムバンドであって、口部４３の上端を折り返した筒部にゴムバンドを通した構成とし、飲料用ボトル１を袋本体４１に収納し、口部４３のリング２０を前記飲み口部４のキャップ受部５の下部に嵌着する。
　これにより、リング２０は、飲料用ボトルカバー４０の装着と同時に、キャップ１０の閉栓位置をリング２０の高さ分だけ上方位置にすることができる。
　また、図示しないが、飲料用ボトルカバー４０が厚手の外袋と薄手の内袋の二重袋からなっている場合に、内袋の口部にゴムバンドなどの取着具２０を装着しておき、前記飲み口部４のキャップ受部５の下部に嵌着するようにしてもよい。
　そして外袋は、そのまま通常の方法で飲料用ボトル１に取り付けられる。
【００１９】
　図９の実施例８では、飲料用ボトルカバー４０の口部４３が紐部４５によって締め付ける構成からなっており、上記紐部４５の先端にリング２０が取り付けられている。
　この場合に、飲料用ボトルカバー４０は、受溝部７の下方の溝側壁部９が抜け止め用の鍔となるようにその下に口部４３を配置して紐部４５により結わえたり、ループ状の紐部４５を締め付けたりして取り付ける。
　そして、このように結んだり締め付けたりした残りの紐部４５の先端にリング２０があるので、このリング２０を、前記実施例のようにキャップ受部５の下部５ｂに嵌着すればよい。
　このようにボトルカバー４０にリング２０を付属させることで、ボトルカバー４０の使用時にリング２０を常時使用可能とすることができる。
【００２０】
　このように使用されるリング２０は、他のリングと区別する識別手段Ｄ１または表示部Ｄ２を設けることが好ましい。
　例えば、リング２０を多色とし、あるいは種々の模様を施しておけば、この色または模様が識別手段Ｄ１として機能するので、使用者は自分が使用するリング２０を直ちに見分けることができる（図７参照）。
　従って、開封後の飲料用ボトル１が複数並んでいても、自分のリング２０を見分けることで、自分が飲んでいる飲料用ボトル１を間違わずに選択することができる。
【００２１】
　識別手段Ｄ１には、上記のように色彩や模様のほかに、文字や図形、記号、線図などを用いることができる。
　あるいは、リング２０の外壁面に表示部Ｄ２を設けて、そこに文字や図形などを記載してもよい（図６参照）。
　更に、リング２０にタグやプレートＤ３を付けておき、このタグやプレートに識別手段や表示部を設けておけば、識別性を高めることができる（図５参照）。
　前述のストラップ止め具３０を設けた場合や、ボトルカバー４０に取り付ける場合にも同様に識別手段や表示部を設けて識別性を高めてもよい。
【００２２】
　次ぎに、ストロー２は、本実施例では、一端寄りに蛇腹３を有する公知のストローが用いられる（図１参照）。
　これは、蛇腹３部分をその一部を反発可能に曲げて、ストロー２にその延出方向の弾発力を発揮させるためである。
　本実施例のストロー２では、その下端２ａが飲料用ボトル１の隅部１ａと衝合している。
【００２３】
　また、ストロー２の蛇腹３部分では弾発力を保持するため複数の溝の１または数本程度の溝の一方を広げてストロー２に角度を付けて曲げている。
　あるいは、前記曲げる力を蛇腹３の溝全体で受けるようにしてもよい。
　そして、この曲がったストロー２の上部が前記キャップ受部５の内壁面（あるいは飲料用ボトル１の上部内壁面）と一部で接しながら、前記隅部１ａとの衝合点と相俟ってストロー２の姿勢を保持している。
【００２４】
　ストロー２の上端２ｂは、図１に示すように、飲み口部４（キャップ受部５の上端）を超えて僅かに延びている。
　このストロー２の長さは、上端２ｂが閉栓時にキャップ１０の内壁面１２と衝合した際に、前記蛇腹３の広がっていない他の溝までも広げてしまい、ストロー２を反発不能としない程度の押圧力をキャップ１０が与えることができる長さに設定されることが好ましい。
【００２５】
　そのためストロー２の素材や蛇腹３の構成と飲料用ボトル１の形状との相関関係を基に実験的に最適の長さを決定することができる。
　この考案のストロー２は、前記蛇腹付きストローの他に、閉栓時に座屈せず、開栓時に反発力で上方へ突出しうる弾性力を備えたもの、例えば、全体的に弾性を有し、かつ全体をなだらかに湾曲しさせたストローや、全長方向の一側面に蛇腹状の凹溝を複数設けたストロー、少なくとも一部に弾性を有し、かつこの弾性部分を徐々に湾曲させたストロー、あるいは中途位置に数本の環状の凹溝を設け該凹溝の一方側を広げて曲げたストローなどがよい。
【００２６】
　上記構成からなっているので、図４に示すように、キャップ１０を外して開栓すると、ストロー２の先端は飲み口部４の先端よりも上方位置となっており、更にストロー２が弾性を有する場合には弾性反発力で、ストロー２の上端２ｂが更に上方へ突出する。
　この突出する長さは、ストロー２に作用する弾性力に基づくので、キャップの着脱を繰り返すと、徐々に反発力が弱まるが、反発力が作用しない場合であってもストロー２の上端２ｂは常に飲み口部４であるキャップ受部５の上端より上に配置されており、ボトル内に押し込まれることは無いので、飲用者は、確実に唇でストロー２の上端をくわえることができ、ストロー２を用いた飲みやすい態様を採ることができる。
　また、ストロー２の配置は、図１０に示す実施例９のように上下を逆にしても同様の作用を奏する。
【００２７】
　更に、この考案では、ストロー２は、図１１に示す実施例１０のように蛇腹や溝を設けないストレートに延びるストローであってもよい。
　この場合、開栓時にストロー２は弾性で更に上方へ突出することはないが、リング２０によって、図示しないがキャップ１０頂部の内壁面１２との間に空隙部Ｓを形成するので、飲み口部４の先端よりは常に上方位置にセットされるため、ストローの上端２ｂをくわえることができる。
　これらの場合に、その他の構成は、前記実施例１と同様であるので、同一構成には同一の符号を付してその説明を省略する。
【００２８】
　また、この考案の飲料用ボトルは、ＰＥＴボトルやアルミなどの金属製ボトルであってもよく、要するに飲み口部をキャップで開閉することができるボトルであればその構造は特に限定されるものではない。
　その他、要するにこの考案の要旨を変更しない範囲で種々設計変更しうること勿論である。
【図面の簡単な説明】
【００２９】
【図１】リングを装着した飲料用ボトルの断面図である。（実施例１）
【図２】リングを装着した飲み口部（キャップ受部）の要部拡大断面図である（実施例２）。
【図３】同キャップ受部の下部の異なる形状の要部拡大断面図である。（実施例３）
【図４】キャップを外して開栓した状態のリングを装着した飲料用ボトルの断面図である。（実施例１）
【図５】リングの異なる実施例を示す平面図である。（実施例４）
【図６】リングが二分割された別の実施例を示す斜視図である。（実施例５）
【図７】リングにストラップ止め具が連結された更に別の実施例を示す斜視図である。（実施例６）
【図８】リングが飲料用ボトルカバーの口部に設けられた異なる実施例を示す断面図である。（実施例７）
【図９】リングが飲料用ボトルカバーの紐部に設けられた別の実施例を示す断面図である。（実施例８）
【図１０】ストローを蛇腹部が下方となるように倒置した場合を示す断面図である。（実施例９）
【図１１】ストローが直線状からなる別の実施例を示す断面図である（実施例１０）
【符号の説明】
【００３０】
　１　　飲料用ボトル
　１ａ　隅部
　２　　ストロー
　２ａ　ストロー下端
　２ｂ　ストロー上端
　３　　蛇腹
　４　　飲み口
　５　　キャップ受部
　５ｂ　リング受部となるキャップ受部の下部
　６　　雄ねじ
　７　　受溝部
　８　溝側壁部
１０　キャップ
１１　雌ねじ部
１２　内壁面
１５　タンパーエビデントリング
２０　リング
３０　ストラップ止め具
４０　飲料用ボトルカバー
　Ｓ　空隙部
【図１】
0003100005.tif 000003
【図２】
0003100005.tif 000004
【図３】
0003100005.tif 000005
【図４】
0003100005.tif 000006
【図５】
0003100005.tif 000007
【図６】
0003100005.tif 000008
【図７】
0003100005.tif 000009
【図８】
0003100005.tif 000010
【図９】
0003100005.tif 000011
【図１０】
0003100005.tif 000012
【図１１】
0003100005.tif 000013